(57)【要約】【課題】  メンブレンキーの制約の範囲内で配線を引き回して、キーの入り具合がどのキーでも同じ程度にすることができるメンブレンキーの実現を図った電磁調理器における操作キー回路を提供する。【解決手段】  キー操作入力手段１は、電磁調理器の機能に対して割り当てられ且つメンブレンキーとして列状配置された複数の設定キーが冗長性のあるマトリックス状に構成されている。中継基板２は、キー操作入力手段１のマトリックスの各ポートに接続されている入力側ポートの極数から電磁調理器の制御を行うマイクロコンピュ−タに接続され且つ設定キーに対応した数の出力側ポートの極数へと減数して極数変換する。キー操作入力手段１を構成するメンブレンキーは、左右の同じ内容の設定キーに対して、内部の配線の抵抗を均等に引き回しができるので、キーの押し込み具合を同じにすることができる。【選択図】      図１
2005310551.tif 000002
【特許請求の範囲】
【請求項１】
電磁調理器の機能に対して割り当てられ且つメンブレンキーとして列状配置された複数の設定キーが冗長性を持つマトリックス状に構成されているキー操作入力手段、及び前記キー操作入力手段のマトリックスの各ポートに接続されている入力側ポートの極数から調理内容に応じて前記電磁調理器の制御を行う制御回路に接続され且つ前記設定キーに対応した数の出力側ポートの極数へと極数変換する中継基板を備えていることから成る電磁調理器におけるキー入力回路ユニット。
【請求項２】
前記中継基板は、前記入力側ポートのうち、冗長の数に相当する前記入力側ポートだけ他の前記入力側ポートと共通して前記出力側ポートに接続することにより、極数変換していることから成る請求項１に記載の電磁調理器におけるキー入力回路ユニット。
【発明の詳細な説明】
【技術分野】
【０００１】
この発明は、電磁加熱調理器において、電磁加熱調理器の各機能に対して割り当てられる複数の設定キーを有するキー入力回路ユニットに関する。
【背景技術】
【０００２】
従来、電子レンジ、炊飯器、ＩＨクッキングヒータ等の電磁調理器が家庭において普及しつつある。これらの電磁調理器においては、調理内容に応じて機能の設定を行う複数の設定キーとして、タッチ式のキーが操作パネルとして用いられていることが多い。機能の数が増えるに従って設定キーの数も増加する傾向にあるので、回路構成を簡単にするため、キー入力手段をマトリックス状に構成することが提案されている（特許文献１参照）。マトリックス状のキー入力手段は、通常、ハーネスを介してマイクロコンピュータに接続されており、マイクロコンピュータは、予め設定されているプログラムに基づいて、キー入力手段からの入力信号により調理条件を決定し、調理器におけるヒータ等の加熱手段や高周波発生源を制御している。
【特許文献１】特開２００１−２５８７２７号公報（段落［００１９］〜［００２０］、図２）
【０００３】
パーソナルコンピュータ等の情報処理装置に対しては、情報入力装置及び情報出力装置が欠かせないが、そうした情報入力装置としては、キーを打鍵するキーボードが専ら用いられ、出力装置としてはプリンタやディスプレイがある。キーボードと、ディスプレイを有し、前記キーボードは、情報を打鍵して入力する入力手段であって、少なくとも二つに分割されているものであり、前記ディスプレイは、情報を表示する出力手段であって、制御ボードが収納された筺体に冠着されているものであり、前記キーボードは、前記筺体の端部に配設されているものであり、かつ該キーボードの少なくとも二つが、該筺体の対向する左右の端部に配設されているものであるように構成された情報入出力装置によって解決されると公開されている。
【特許文献２】特開平５−１０８５７２号公報（段落［００２９］〜［００３０］、図１）
【０００４】
ＩＨクッキングヒータの一例の概略が、平面図としての図４に示されている。図４に示すように、ＩＨクッキングヒータ２０は、トッププレート２１上に、手前側左右に配置されたＩＨヒータ２２，２３と、中央奥側に配置されたラジエントヒータ２４と、最前端側に横方向に一列に並べて配置されたキー操作入力手段２５を備えている。キー操作入力手段２５は、ＩＨヒータ２２，２３及びラジエントヒータ２４の配置に合わせて、ユーザの使いやすさを考慮して左右及び中央にグループ化して配置されている。キー操作入力手段２５において、各設定キ−を押すことで実現される機能は、図４に示すとおりであり、ユ−ザは、調理の内容に応じて設定キーを選択して押すだけで、その内容に応じた必要な熱量を得ることができる。キー操作入力手段２５は、図５に示すように、細長い形状のメンブレンキーとして実現されている。
【０００５】
キー操作入力手段キー２５のための回路の一例が図６に示されている。図６に示すように、マトリックス状に構成されている。キー操作入力手段キー２５は、４×５（入力ポートｐ３０〜ｐ３４の計５本、出力ポートｐ３５〜ｐ３７，ｐ６０の計４本）のマトリックス状に構成されている。キー操作入力手段２５は、中継基板２６を介してマイクロコンピュータ（図示せず）に接続されている。中継基板２６は、キー操作入力手段２５側及びマイクロコンピュータ側も同じく９つの極数を持つ基板であり、図示のように結線されており、マイクロコンピュータ側の電極端子１番〜５番がそれぞれキー操作入力手段２５の入力ポートｐ３０〜ｐ３４に対応し、電極端子６番〜９番がそれぞれキー操作入力手段キー２５の出力ポートｐ３５〜ｐ３７，ｐ６０に対応している。
【０００６】
しかしながら、設計者にとっては、同じ機能を表す設定キーが左右に分かれることで問題が生じる。例えば、図６から△Ｒと△Ｌキーのパターンを形成するには、図５に示すようにキーの極数が９ピン（４×５のマトリックス）の場合、△Ｒは中継基板２６において電極端子３番と９番に関係付けられるので、その配線は破線２８で示すパターンと成る。また、△Ｌは中継基板２６において電極端子３番と６番に関係付けられるので、その配線２９は実線のパターンとなる。△Ｒのパターン長は、△Ｌのパターン長と比較して長くなっている。このようにパターン長が変わると配線抵抗が変わりキーの入り具合が異なることになるので、ユーザは、は左右のＩＨヒータ２２，２３について、同じ内容の機能でありながら操作上の違和感が感じられる。
【０００７】
図５に示す細長い形状のメンブレンキーとして形成される設定キー２５は、その形状において、キーパターン禁止領域（端から２．５ｍｍ）、パターン幅（０．４ｍｍ）及びパターン間隔（０．４ｍｍ）の制約が存在する。メンブレンキーにおいて、上記のキーパターン禁止領域、パターン幅、パターン間隔等の制約を考慮すると、配線は上下それぞれ４本、３本しかパターンを引き回すことができない。したがって、満足できるパターンの引き回しができず、意図するメンブレンキーを構成できないという問題がある。なお、図５において、設定キー２５の中継基板に接続される接続部２７は１番から９番の番号が付された９つの極数を持つように構成されている。
【発明の開示】
【発明が解決しようとする課題】
【０００８】
メンブレンキーに構成される設定キーについての上記の構成上の問題は、メンブレンキーをマイクロコンピュ−タ側に接続する接続ポート数を少なく抑えている点に起因している。そこで、接続ポート数に冗長性を持たせることによって、メンブレンキーにおける配線設計の自由度を増す、即ち、メンブレンキーの制約の範囲内で配線を引き回すことを可能にする点で解決すべき課題がある。
【０００９】
この発明の目的は、メンブレンキーのポート数に冗長性を持たせて、メンブレンキーの制約の範囲内で配線を引き回すことを可能にすることによって、ユーザが使いやすいような例えば左右対称のキー配置は維持しながら、配線抵抗を均一化してキーの入り具合がどのキーでも同じ程度にすることができるメンブレンキーの実現を図った電磁調理器における操作キー回路を提供することである。
【課題を解決するための手段】
【００１０】
上記の課題を解決するため、この発明による電磁調理器におけるキー入力回路ユニットは、電磁調理器の機能に対して割り当てられ且つメンブレンキーとして列状配置された複数の設定キーが冗長性のあるマトリックス状に構成されているキー操作入力手段、及び前記キー操作入力手段のマトリックスの各ポートに接続されている入力側ポートの極数から調理内容に応じて前記電磁調理器の制御を行う制御回路に接続され且つ前記設定キーに対応した数の出力側ポートの極数へと極数変換する中継基板を備えていることから成っている。
【００１１】
この電磁調理器におけるキー入力回路ユニットによれば、キー操作入力手段は、電磁調理器の機能に対して割り当てられた複数の設定キーが列状配置されており、設定キーが冗長性を持つマトリックス状に構成されている。したがって、マトリックスにおいては、行列の組合せとして設定キーの数よりも多くの組合せが存在する。一方、キー操作入力手段と電磁調理器の制御を行う制御回路との間に配置される中継基板は、キー操作入力手段のマトリックスの各ポートに接続されている入力側ポートの極数から設定キーに対応した数の出力側ポートの極数へと極数変換するので、制御回路に対しては、従来と同様に設定キーに対応している。その結果、キー操作入力手段から中継基板に至る配線としては、冗長度に応じて、経路の選択に自由度が生じ、複数の設定キーをメンブレンキーとしての制約をクリアしながら列状配置することが可能になる。
【００１２】
この電磁調理器におけるキー入力回路ユニットにおいて、中継基板の入力側ポートのうち、冗長の数に相当する入力側ポートについては他の入力側ポートと共通して出力側ポートに接続することができる。こうした接続により、全入力側ポートの数から減少する態様で出力側ポートの数へと極数変換される。
【発明の効果】
【００１３】
この発明による電磁調理器におけるキー入力回路ユニットは、上記のように、キー操作入力手段から中継基板に至る配線としては、冗長度に応じて経路の選択に自由度が生じ、複数の設定キーをメンブレンキーとしての制約をクリアしながら列状配置することが可能となる。したがって、メンブレンキーの制約の範囲内で配線を引き回すことができ、ユーザが使いやすいような例えば左右同等のキー配置は維持しながらも、配線抵抗を均一化してキーの入り具合を同じ程度にしたメンブレンキーを実現することができる。その結果、ユーザは左右のＩＨヒータについて同じ内容の機能を選択するときに、左右で感触が異なることによる違和感を回避することができる。更に、中継基板から接続される制御回路においてはマイクロコンピュータが使用されるが、中継基板の出力側ポートの数は従来のものと変わりがないため、ノイズ除去のためにマイクロコンピュータのポートに使用する抵抗やコンデンサの数量を当初の数量と同等数に抑えることができる。
【発明を実施するための最良の形態】
【００１４】
以下、添付した図面に基づいて、この発明による電磁調理器におけるキー入力回路ユニットの実施例を説明する。図１はこの発明による電磁調理器におけるキー入力回路ユニットの一実施例を示す回路図、図２は図１に示すキー入力回路ユニットを組み込んだメンブレンキーの一例を示す平面図である。
【００１５】
図１に示すキー入力回路ユニットによれば、電磁調理器としてのＩＨクッキングヒータに適用されており、キー操作入力手段１は、操作パネルとしては外見上図４に示すものと同じであるが、内部は複数の設定キーを４×８のマトリックス状に配置して構成されている。即ち、キー操作入力手段１においては、図４及び図６に示す１９個の設定キーのすべてをカバーしているが、冗長性を持って構成されており、行列の要素として設定キーが設けられていない要素も存在している。キー操作入力手段１において、ポートｐ３０〜ｐ３４が入力ポート、ポートｐ３５〜ｐ３７，ｐ６０が出力ポートである。
【００１６】
キー操作入力手段１とマイクロコンピュ−タとを繋ぐ中継基板２は、キー操作入力手段１が４×８のマトリックス状の構成であることに対応して、キー操作入力手段１に接続されるキー側の電極端子３に１２の極数を有しているが、マイクロコンピュ−タ側に接続される電極端子４としては、従来と同様の９つの極数を有している。中継基板２上では、キー側の電極端子３のうち、１番と１１番、２番と１０番、及び３番と１２番のパターンを接続し、極数を変換することにより、３本減となり、本来使用すべき極数である９本に抑えられている。中継基板２の電極端子４側では、△Ｌのキーについては３番と９番に関係付けられ、△Ｒのキーについては３番と９番に関係付けられる。したがって、こうした中継基板２の内部における極数変換により、マイクロコンピュータ側への出力としては、図６の場合と同じになる。
【００１７】
キー操作入力手段１が冗長性を備えていることに対応して、メンブレンキーは、図２のように、配線の引き回し設計において、回路パターンの引き回しを選択可能にする自由度が生じる。即ち、△Ｒのキーの配線については、破線８で示すように、中継基板２に接続される接続部５において電極端子８番と１２番に関係付けられるパターンとなる。また、△Ｌのキーの配線９については、実線で示すように、接続部５おいて電極端子３番と５番に関係付けられるパターンとなる。それぞれ配線のパターン長はほぼ同長になるので、配線抵抗も同程度に調整することができる。したがって、左右のＩＨヒータ２２，２３に関して同じ機能内容に設定された両設定キーについては、配線抵抗を同じ程度にすることによってキーの押し込み具合が同じ程度になり、操作性の良いメンブレンキーを構成することができる。しかも、メンブレンキーは、従来同様の左右対称且つ横長配置を維持することができるので、ユーザにも判りやすさを保つことができる。
【００１８】
図３はこの発明による電磁調理器におけるキー入力回路ユニットの別の実施例を示す回路図である。図３は、図１に示したキー入力回路ユニットをマイクロコンピュ−タ１０に接続した態様を示す図である。マイクロコンピュ−タ１０の各マイコンポートの間に入っている抵抗、コンデンサはノイズ除去用回路１１に使用される素子である。中継基板２の極数変換によって、マイコン側ポートの使用極数は従来と同じく９本であるので、ノイズ除去のためにマイクロコンピュ−タ１０のポートに使用する抵抗やコンデンサの数量を当初の数量と同等数に抑えることができる。
【図面の簡単な説明】
【００１９】
【図１】この発明による電磁調理器におけるキー入力回路ユニットの一実施例を示す回路図である。
【図２】図１に示すキー入力回路ユニットを組み込んだメンブレンキーの一例を示す平面図である。
【図３】この発明による電磁調理器におけるキー入力回路ユニットの別の実施例であって、図１に示したキー入力回路ユニットをマイクロコンピュ−タに接続した態様を示す図である。
【図４】ＩＨクッキングヒータの一例の概略を示す平面図である。
【図５】図４に示すＩＨクッキングヒータのキー操作入力手段の一例を示す平面図である。
【図６】図４に示すキー操作入力手段キーのための回路図の一例を示す図である。
【符号の説明】
【００２０】
１  キー操作入力手段
２  中継基板
３  電極端子（キー側）
４  電極端子（マイコン側）
５  接続部
８  △Ｒのキーの配線
９  △Ｌのキーの配線
１０  マイクロコンピュ−タ
１１  ノイズ除去用回路
２０  ＩＨクッキングヒータ
２１  トッププレート
２２，２３  ＩＨヒータ
２４  ラジエントヒータ
２５  キー操作入力手段
２６  中継基板
２７  接続部
２８  △Ｒのキーの配線
２９  △Ｌのキーの配線
ｐ３０〜ｐ３４  入力ポート
ｐ３５〜ｐ３７，ｐ６０  出力ポート
【図１】
2005310551.tif 000003
【図２】
2005310551.tif 000004
【図３】
2005310551.tif 000005
【図４】
2005310551.tif 000006
【図５】
2005310551.tif 000007
【図６】
2005310551.tif 000008